(57)【要約】
【課題】加熱時における容器の底板の変形による着座の安定性を保持する簡便構造の加熱調理用容器を提供する。
【解決手段】ヤカン１の底板３は、その中央部に円状凹部６を形成すると共にこれに放射方向に連通する凹溝７を４本設ける。この円状凹部６と凹溝７との交点イ及び交点ロが変形後においても同一平面上に保持され、底板３のハ点又はニ点とにより３点支持が可能となり、着座の安定性が得られる。
【選択図】図１
0003100468.tif 000002
【実用新案登録請求の範囲】
【請求項１】
　平坦な底板を調理器により加熱される容器であって、前記底板が、中央部に円状凹部を形成すると共に前記円状凹部の周縁部から前記底面の外縁部に向かって少なくとも３本以上の凹溝を形成することを特徴とする加熱調理用容器。
【請求項２】
　前記円形凹部と前記凹溝とが同一の深さを有するものからなることを特徴とする請求項１に記載の加熱調理用容器。
【考案の詳細な説明】
【技術分野】
【０００１】
　本考案は、調理器、例えば、電磁調理器の上に搭載されて加熱される容器であって、加熱によって底板が変形しても着座の安定性を保持し得る加熱調理用容器に関する。
【背景技術】
【０００２】
　加熱用容器はその底板が全面又は部分的に加熱され、主に鋼材（ステンレスを含む）により形成されている。このため、加熱により底面が変形し、平面性が低下すると共に着座性が悪く、テーブル上に搭載してもガタツキが生じ危険であった。従来使用されるヤカンの形状としては各種のものがあるが、例えば、図５に示すものが挙げられる。このヤカン１ａは、ヤカン本体２ａと、その底面に固着される底板３ａと、上蓋４ａ等とからなり、ヤカン本体２ａには注ぎ口５ａが内部に連通して固着されている。加熱される液体１０はヤカン本体２ａと底板３ａとで形成される内部空間１１内に適量だけ注入される。液体１０を適温に加熱する手段として電磁調理器８が使用される。この電磁調理器８も各種形式のものがあるが、底板３ａの全面を加熱するものではなく、図示のようにある円周部にのみ電磁コイル９を配置するものからなる。以上の構造のヤカン１ａが電磁調理器８により加熱されると特に底板３ａが高熱となり、通常図６（ａ）に示すように下方に向かって凸起する変形が生ずる。このため、例えば、ヤカン１ａをテーブル１２上に搭載するとヤカン１ａの底板３ａはテーブル１２にホ点の１点で当ることになる。このため、ヤカン１ａはテーブル１２上に安定的に着座することができなくなり、図６（ｂ）に示すように注ぎ口５ａ等から加熱された液体１０がテーブル１２上等にこぼれ落ちる場合が生ずる。また、極端な場合、ヤカン１ａが倒れてしまう不具合も生じ、極めて危険である。
【０００３】
　このため、従来より主に底板の平面性を保持するための各種のものが開示されていた。例えば、「特許文献１」や「特許文献２」が挙げられる。
【特許文献１】特表２０００−２３８３９（図２）
【特許文献２】特開２００３−２０４８７２（図１）
【考案の開示】
【考案が解決しようとする課題】
【０００４】
　「特許文献１」の特開２０００−２３８３９号公報の「電磁調理用金属鍋」は鍋底の中央部を平面に形成すると共にそこに環状凹入部を凹設したものである。このリング状の環状凹入部により鍋底の平面度はある加熱条件においては保持されるが、加熱条件は一定のものではなく、すべての場合に平面性を保持することは難しい問題点があり、着座の安定性も保持できない問題点がある。
【０００５】
　また、「特許文献２」の特開２００３−２０４８７２号公報の「電磁調理用鍋」は底板をステンレス層とアルミニュウム層との重合した複層のものから形成されると共に、鍋底の中央部に内部に向かって隆起する環状屈曲部を形成するものからなる。これにより、鍋の設置の安定性と熱伝導性の向上を図るようにしたものである。また、鍋底の中央部を底面よりも凹ませ、隙間を形成したことに特徴を有するものです。この構造の鍋は確かに熱伝導性がよいが、依然とし加熱による底板の変形は、大きく、着座の安定性も悪い問題点がある。また、底板が重層のものからなるためコスト高となる問題点がある。
【０００６】
　本考案は、以上の問題点を解消するもので、加熱によっても着座の安定性が保持され、かつ製作し易く、比較的安価に実施できる加熱調理用容器を提供することを目的とする。
【課題を解決するための手段】
【０００７】
　本考案は、以上の目的を達成するために、請求項１の考案は、平坦な底板を調理器により加熱される容器であって、前記底板が、中央部に円状凹部を形成すると共に前記円状凹部の周縁部から前記底面の外縁部に向かって少なくとも３本以上の凹溝を形成することを特徴とする。
【０００８】
　また、請求項２の考案は、前記円形凹部と前記凹溝とが同一の深さを有するものからなることを特徴とする。
【考案の効果】
【０００９】
　本考案の請求項１によれば、凹溝を形成することにより、凹溝と円状凹部と交差する２つ角点が加熱時においてもほぼ同量だけ変形しほぼ同一の平面上の位置を保つことができる。即ち、底面の２点の角点が少なくとも同一平面位置に保持される。よってこの２点と異なる位置の他の底板の１点とを同一平面上に保持することが可能となる。これにより、任意の加熱変形時においても３点が同一平面上に保たれ、着座の安定性を保持することができる。
【００１０】
　また、本考案の請求項２によれば、円状凹部と凹溝の深さを同じにすることによりブレス成型時においてこれ等を正確に成形でき、高品質の容器を製作することができる。
【考案を実施するための最良の形態】
【００１１】
　以下、本考案の加熱調理用容器の実施の形態を図面を参照して詳述する。なお、加熱調理用容器としては、鍋、ケトル、ヤカン、ポット等各種のものがあるが、以下の説明ではヤカンを採用するが本考案はこれに限定するものでないことは勿論である。また、調理器としては各種のものがあるが、例えば、電磁調理器を代表例として説明するが、勿論これに限定するものではなく、ガス等を加熱源として用いる場合にも適用される。
【実施例１】
【００１２】
　本考案のヤカンは図２に示す外観構造のものからなる。即ち、ヤカン１はヤカン本体２と、底板３と、上蓋４等とからなり、ヤカン本体２には注ぎ口５が内部に連通して固着される。本考案のヤカン１はその底板３の構造に特徴を有するものである。
【００１３】
　図１は底板３の構造を示す平面図である。底板３にはその中央に円状凹部６が凹設されると共に円状凹部６の周縁部から底板３の外縁部に向かって４本の凹溝７が凹設される。なお、本実施の形態では凹溝７を４本としたが３本以上であれば４本に限定するものではない。また、本実施の形態では円状凹部６と凹溝７との深さは図２に示すように同一のものとしたが、必ずしもこれに限定するものではない。なお、円状凹部６や凹溝７の形成されていない底板３の残りの部分を底板３′とする。図２は図１のＡ−Ａ線断面図であり、図３は図１のＢ−Ｂ線断面図であり、これ等と図１とにより円状凹部６と凹溝７との全体形状を認識することができる。
【００１４】
　以上の構造の円状凹部６と凹溝７とを形成すると、底板３′の位置に交点イ，ロが生ずる。この交点イと交点ロとは凹溝７の幅寸法を介して相対向する位置にあり、比較的近接して形成されていると共に角部を形成し、高剛性のポイントとなる。なお、交点イと交点ロは４本のすべての交差部に形成されているが、ここでは図示の交点イ及び交点ロについてのみ説明する。
【００１５】
　以上の構造の底板３が電磁調理器８により加熱されると、図６（ａ）に示したように底板３は変形する。当然交点イ及び交点ロの位置も変形するが、前記のようにこの交点イ及び交点ロは高剛性な点であり、かつ近接して配置されているため底板３が変形した後においても交点イと交点ロとは同一平面位置を保持することが出来る。従って変形したヤカン１を仮りにテ−ブル１２（図６）に搭載すると交点イと交点ロとがテーブル１２上に当接する。このため、図１に示すように底板３の円状凹部６や凹溝７の形成されていない底板３′の任意の点、例えば、ハ点又はエ点を交点イ及び交点ロとは同一平面上に保持することが可能になる。即ち、交点イと交点ロと点ハ又は点ニを同一平面上に保持することができる。物体は、３点支持により着座の安定性を保持することができるため、ヤカン１は変形後においても交点イと交点ロと点ハ又は点ニの３点によりテーブル１２上に安定的に着座される。なお、４つの凹溝７のすべての交点イと交点ロが変形後にすべて同一平面に保持される場合には点ハや点ニを頼る必要はないが、仮りに４つの凹溝７の交点イ及び交点ロが他の凹溝７の交点イや交点ロと異なる位置に変形したとした場合には前記のように点ハ又は点ニにより３点支持されることになる。以上により、本考案のヤカン１の場合には加熱時においても着座の安定性を保持することができる。また、本考案のヤカン１は底板３に円状凹部６や凹溝７を形成しただけの比較的簡単なものがあり、ほとんどコストアップにはならない。また、製作はプレス成形等により簡単にできる。
【実施例２】
【００１６】
　図４は本考案の別の実施例を示すものである。このヤカン１は底板３の円状凹部６のまわりにリング部６ａを設け、中央部に円状凹部６ｂを設けたものである。なお、リング部６ａは凹溝７と同一の深さを有するものからなり、円状凹部６ｂはこれ等より深さがやや浅いものからなる。以上の構造の底板３の場合も前記実施例１の場合と同様の効果を上げることができるが、円状凹部６ｂの形成により電磁調理器８側の図略の温度センサとの距離を保持することができる別の効果を有するが、ここではその内容についての説明は省略する。
【産業上の利用可能性】
【００１７】
　以上の説明では、本考案の加熱調理用容器はヤカンについて説明したが、ヤカン以の加熱容器のすべてに適用され広範囲の容器に適用される。なお、容器に限らず、加熱面の変形による平面性の保持が必要とする部材に対しても利用の可能性がある。
【図面の簡単な説明】
【００１８】
【図１】本考案の加熱調理用容器の１つであるヤカンの底面図。
【図２】図１のＡ−Ａ線断面図。
【図３】図１のＢ−Ｂ線断面図。
【図４】本考案の別の実施例のヤカンの底面図。
【図５】従来一般に使用されているヤカンとその底板を加熱する電磁調理器を示す模式図。
【図６】従来のヤカンの加熱時に問題点を説明するための模式図であり（ａ）は加熱時の変形状態を示す図（ｂ）は変形時の問題点を示す図である。
【符号の説明】
【００１９】
　１　　ヤカン
　２　　ヤカン本体
　３　　底板
　３′　底板
　４　　上蓋
　５　　注ぎ口
　６　　円状凹部
　６ａ　リング部
　６ｂ　円状凹部
　７　　凹溝
　８　　電磁調理器
　９　　電磁コイル
　１０　液体
　１１　空間
　１２　テーブル
【図１】
0003100468.tif 000003
【図２】
0003100468.tif 000004
【図３】
0003100468.tif 000005
【図４】
0003100468.tif 000006
【図５】
0003100468.tif 000007
【図６】
0003100468.tif 000008